(57)【特許請求の範囲】
【請求項１】
取付基板(2) を備えた取付部材を、取付穴(11)を備えた被取付部材(1) に着脱するための、係合部材(3)と係合解除部材(4)とからなる取付部材の着脱装置であって、
係合部材(3)は、取付基板(2)の裏面に突設されていて、基台部(31)の両端から平行に弾性片部(331)が延設されており、この弾性片部(331) の外側先端には被取付部材(1) の取付穴(11)と係合する係止突起(332) が設けられ、弾性片部(331)の内側先端には、弾性片部(331)の可撓方向に垂直に一対の係合解除突起(333)が設けられており、
係合解除部材(4) は、係合部材(3)に装着されていて、取外しツールにより前方から押圧される基部(41)と、基部(41)から延設された板状の胴部(42)とからなり、胴部(42)の内側面には、胴部(42)の先端から基部(41)に向かって縮幅されて、一対の係合解除突起(333)を縮幅するための傾斜カム部(43)が形成されていることを特徴とする取付部材の着脱装置。
【請求項２】
取付基板(2) を備えた取付部材を、取付穴(11)を備えた被取付部材(1) に着脱するための、係合部材(3)と係合解除部材(4)とからなる取付部材の着脱装置であって、
係合部材(3)は、取付基板(2)の裏面に突設されていて、基台部(31)の一端から係合解除部材(4)の内側に摺接する支持枝部(334)が延設され、他端から支持枝部(334)と同方向に弾性片部(331)が延設されており、この弾性片部(331) の外側先端には被取付部材(1) の取付穴(11)と係合する係止突起(332) が設けられ、弾性片部(331)の内側先端には、弾性片部(331)の可撓方向に垂直に係合解除突起(333)が設けられており、
係合解除部材(4) は、係合部材(3)に装着されていて、取外しツールにより前方から押圧される基部(41)と、基部(41)から延設された板状の胴部(42)とからなり、胴部(42)の内側面には、胴部(42)の先端から基部(41)に向かって内側に傾斜して、係合解除突起(333)を縮幅させるための傾斜カム部(43)が形成されていることを特徴とする取付部材の着脱装置。
【請求項３】
係合部材(3)は、弾性片部(331)の延出方向と反対方向に基台部(31)から延出する、取付基板(2)固定用の固着部(32)を有している請求項１または２に記載の取付部材の着脱装置。
【発明の詳細な説明】
【０００１】
【発明の属する技術分野】
本発明は、パチンコ機において、取付部材を遊技板等の被取付部材に着脱するための取付部材の着脱装置に関するものである。
【０００２】
【従来の技術】
パチンコ機の遊技板には、幾つかのランプや装飾品が取付けられて、遊技者の遊興効果を盛り上げているが、このランプや装飾品等の取付部材は遊技盤に固定された取付基板に取付られている。従来、この取付部材が備えられた取付基板はねじ等により螺着されていたり、装着部材を介して取付けられていた。近年の地球環境の保護、資源の有効利用の機運の高まりに連れて、パチンコ機の遊技板においても部材を簡単に解体することのできる構造が求められている。しかしながら、取付基板がねじ等により螺着されている場合には、いちいちねじを緩める必要があった。装着部材を介して取付けられている場合には、装着部材が取付部材の取外しを考慮した構造になっていなかったために、その取外しが非常に厄介なであった。また、遊技板の裏側すなわち後方から取付部材を取り外すことは、遊技板を開閉する作業を必要とするうえに、遊技板の裏側にはハーネス等が多量に装着されているため作業がしにくく、その取り外し作業は面倒で多大な工数を必要とするという問題のあるものであった。
【０００３】
【発明が解決しようとする課題】
本発明は上記した従来の問題点を解決し、遊技板の前方から取付部材を簡単に着脱することのできる取付部材の着脱装置を提供するためになされたものである。
【０００４】
【課題を解決するための手段】
上記の課題を壊滅するためになされた本発明の取付部材の着脱装置は、取付基板を備えた取付部材を、取付穴を備えた被取付部材に着脱するための、係合部材と係合解除部材とからなる取付部材の着脱装置であって、
係合部材は、取付基板の裏面に突設されていて、基台部の両端から平行に弾性片部が延設されており、この弾性片部の外側先端には被取付部材の取付穴と係合する係止突起が設けられ、弾性片部の内側先端には、弾性片部の可撓方向に垂直に一対の係合解除突起が設けられており、
係合解除部材は、係合部材に装着されていて、取外しツールにより前方から押圧される基部と、基部から延設された板状の胴部とからなり、胴部の内側面には、胴部の先端から基部に向かって縮幅されて、一対の係合解除突起を縮幅するための傾斜カム部が形成されていることを特徴とするものである。
【０００５】
また、本発明の取付部材の着脱装置は 取付基板を備えた取付部材を、取付穴を備えた被取付部材に着脱するための、係合部材と係合解除部材とからなる取付部材の着脱装置であって、
係合部材は、取付基板の裏面に突設されていて、基台部の一端から係合解除部材の内側に摺接する支持枝部が延設され、他端から支持枝部と同方向に弾性片部が延設されており、この弾性片部の外側先端には被取付部材 の取付穴と係合する係止突起 が設けられ、弾性片部の内側先端には、弾性片部の可撓方向に垂直に係合解除突起が設けられており、
係合解除部材 は、係合部材に装着されていて、取外しツールにより前方から押圧される基部と、基部から延設された板状の胴部とからなり、胴部の内側面には、胴部の先端から基部に向かって内側に傾斜して、係合解除突起を縮幅させるための傾斜カム部が形成されていることを特徴とするものである。
【０００６】
上記した発明において、係合部材は、弾性片部の延出方向と反対方向に基板部から延出する、取付基板固定用の固着部を有しているものとすることができる。
【０００８】
本発明の取付部材の着脱装置は、取付部材を備えた取付基板が固定される係合部材に係止爪部を設け、この係止爪部を被取付部材の取付穴と係合させることにより、簡単に取付部材を被取付部材に装着することができる。一方、係合部材にスライド自在に装着した係合解除部材を遊技板の前方から後方に向けてピンや棒などを用いて押圧することにより、係合解除部材に設けられた傾斜カム部が係止爪部を縮幅して、遊技板の前方から係合部材の被取付部材との係合を解除して、取付部材を着脱装置とともに簡単に取外すことができる。
【０００９】
【発明の実施の形態】
以下に図面を参照しつつ本発明の好ましい実施形態を示す。
図１〜３は本発明の第１の実施形態である取付部材の着脱装置を示す図であって、１は遊技板等の被取付部材、２はランプや装飾品等の取付部材が備えられた取付基板、３は取付基板２を被取付部材１に固定するための係合部材、４は被取付部材１と係合部材３の係合を解除するための係合解除部材である。係合部材３は、基台部３１と、基台部３１から一方に（図では上方に）に延設されて取付基板２を被取付部材１に固定するための固着部３２と、固着部３２の反対方向に延設されて被取付部材１に係合する係止爪部３３とにより構成されている。
【００１０】
そして、係止爪部３３は、基台部３１両端から一方に（図では下方に）平行に一対の弾性片部３３１が延設され、弾性片部３３１の先端には被取付部材１の取付穴１１と係合する係止突起３３２が設けられたうえ、弾性片部３３１の内側先端付近には弾性片部３３１の可撓方向に垂直に係合解除突起３３３とにより構成されている。また、係合解除部材４には、基部４１から下方に二枚の板状の胴部４２が延設され、胴部４２の内側には、胴部４２の先端から基部４１に向かって係止爪部３３の横幅を縮幅するための八の字形の傾斜カム部４３が設けられている。
【００１１】
また、図１に示すように、係合部材３の基台部３１の両端からは上方に可撓片部３４が延設され、その可撓片部３４を縮幅して一対の係止片部３５が形成され、さらに、係止片部３５の先端部に係止凸起３５１が設けたられて固着部３２が形成されている。なお、一対の係止片部３５の間には係合解除部材４を押圧するピンを挿通するための空隙が残されている。一方、係合解除部材４の基部４１の中ほどには下方に突出させた結合凸起部４４が設けられて、この結合凸起部４４を係止片部３５の間に挿通することにより鈎止めして、係合解除部材４は係合部材３にスライド自在に取付けられている。そして、可撓片部３４には内側に凸部３６が設けられていて結合凸起部４４の移動の障害として働き、係合解除部材４を装着したときにガタつきを小さいものとし、又係止突起３５１の取付基板２からの逸脱を防止している。
【００１２】
取付部材を被取付部材１に取付るときは、係合部材３に係合解除部材４を装着したうえで、固着部３２を取付基板２の取付穴２１に挿通して係止凸起３５１を取付穴２１内に設けた段差２２と係合させて係合部材３に組み付ける。次いで、係合部材３を係合解除部材４とともに被取付部材１の表側からその取付穴１１に挿入して、係止爪部３３に設けられた係止突起３３２を取付穴１１と係合させることにより、取付基板２を被取付部材１に取付ることができる。なお、段差２２は固着部３２の頭頂部先端が取付基板２の平面より突出しないようにして取付穴２１内に設けてあるものである。また、取付基板２には凸部２３が設けられてこの凸部２３が被取付部材１に設けた位置決め穴１２に挿入されて、取付基板２をガタつくことなく被取付部材１に取付けることができる。
【００１３】
次に、取付部材を被取付部材１から取り外す時の状態を図４〜７により説明する。図４は取付部材を備えた取付基板２が被取付部材１に係合部材３により固定された状態を示す図であって、係合部材３には係合解除部材４が装着されている。そして、係合解除部材４を遊技板の表側から裏側に向けて、即ち前方から後方に向けてピンや棒などの取外しツールＰを用いて押圧することにより、傾斜カム部４３が一対の係合解除突起３３３の間隔を狭めるように作用して、弾性片部３３１を撓ませる。（図５）  さらに、押圧を継続すると係合解除突起３３３は完全に縮幅され、係止突起３３２の横幅が取付穴１１の横幅以下に縮幅されて、係止突起３３２と取付穴１１との係合が解除され（図６）、図７に示すように、取付基板２を係合部材３および係合解除部材４とともに、被取付部材１から簡単に取外すことができる。
【００１４】
上記したように本発明の取付部材の着脱装置を用いることによって、図８、９に示すように、羽根車等の回転体５を被取付部材１に取付ることができる。なお、図８、９において回転体５は、取付基板２から上方に延設した係止片部２６に回転体５の軸部５１が挿入されて装着されており、軸部５１の中心には取外しツールを通すための挿入穴２７が設けられている。また、図１０、１１に示すように、ランプ等の発光体６が備えられた支持板７を取付基板２から下方に延設した係止片２４にに挿着したうえ、被取付部材１には取付穴１１周縁に凹部１３を形成して、係合部材３を取付穴１１に装着することによって回転体５とともに発光体６を被取付部材１に装着することもできる。
【００１５】
図１２〜１４は本発明の着脱装置の第２の実施形態を示す図であって、係合部材３の基台部３１の一端からは下方に係合解除部材４の内側面に摺接する支持枝部３３４が延設されており、他端からは下方には弾性片部３３１が延設されている。そして、弾性片部３３１の先端には取付穴１１の一側に係合する係止突起３３２が設けられ、弾性片部３３１の内側先端付近には弾性片部３３１の可撓方向に垂直に係合解除突起３３３が設けられている。
【００１６】
係合解除部材４には、その基部４１から下方に２枚の板状の胴部４２が延設され、その内側面の一端には、胴部４２の先端から基部４１に向かって縮幅された傾斜カム部４３が設けられ、胴部４２の内側面の他端には平坦面４７が形成されていて、この平坦面４７には係合部材３の支持枝部３３４の外側面が摺接する。そして、胴部４２の一方の外側面には取付穴１１に係合する凸起部４６が設けられており、この凸起部４６と係止凸起３３２とが取付穴１１に係合して取付部材を被取付部材１に取付けることができる。
【００１７】
さらに、係合部材３の基台部３１から上方には一対の平行な係止片部３５が延設されていて、係止片部３５の先端部には係止凸起３５１が設けられて取付基板２を固定するための固着部３２が形成されており、この固着部３２を係合解除部材４に設けた組付穴４５および取付基板２の取付穴２１に挿通して係止凸起３５１によって鈎止めすることにより、取付基板２を係合部材３に装着するとともに係合解除部材４を係合部材３にスライド自在に取付けることができる。
【００１８】
このような第２の実施形態の着脱装置を用いることによって、図１５、１６に示すように、取付基板２と係合部材３と係合解除部材４とを一体に組み合わせて取付穴１１に装着したうえ、取付基板２の軸部２６に回転体５を装着することによって、回転体５を被取付部材１に取付ることができる。そして、取付部材を取り外す時は挿入穴２７を経由して取外しツールを係止片部３５の間に挿入して係合解除部材を後方に（図では下方に）押圧することにより傾斜カム部４３が係合解除突起３３３を縮幅させて、係止突起３３２の取付穴１１との係合を解除して取付部材を取り外すことができる。また、図１７、１８に示すように、発光体６が備えられた支持板７を係合解除部材４に挿着したうえ、回転体５を備えた取付基板２を係合部材３の固着部３２に装着することによって、回転体５と発光体６とを被取付部材１に取り付けることもできる。
【００１９】
また、図１９に示すように、大型の取付部材８を二つの着脱装置により支持することによっても被取付部材１に取り付けることができる。図１９においては、取付基板２の裏側には被取付部材１とほぼ同等の厚みとした胴体部２５が設けられており、胴体部２５に設けた凸起部２８に大型の取付部材８を装着し、この胴体部２５を二つの係合解除部材４の凸起部４６が挟むことによって、発光体６を備えた大型の取付部材８が被取付部材１に取付られている。なお、図１９では係止突起３３２を一対の着脱装置の外向きとして被取付部材１に取付けているが、図２０に示すように、係止突起３３２を内向きとして大型の取付部材８を被取付部材１に取付けることもできる。なお、図１９、２０において９はカバーであり、カバー９は取付基板２に延設した爪部２９を係止穴９２に係合させることによって取付基板２に固定されている。そして、このカバー９にも取外しツールの挿入穴９１が設けられていて、ピンなどの挿通をガイドする。
【００２０】
上記した実施形態においては、係止片部３５に設けた係止凸起３５１を取付基板２の取付穴２１と係合させることにより、取付基板２を係合部材３に装着しているが、この場合には取付基板２より前方に係止凸起３５１が突出して見栄えを損なったり、取付部材の取付空間を狭くしたりする。このような不具合を回避するためには、取付基板２と係合部材３に連通する雌ねじ部を設けたうえに、この雌ねじ部に取付ねじをねじ込むことによっても、取付基板２と係合部材３とを一体に組み付けることができる。また、係合部材３の基台部３１上面と取付基板２下面とを接着剤により接着することによっても、あるいは、熱を加えて接合面を溶融軟化させて溶着することによっても、取付基板２と係合部材３とを一体に構成することができる。
【００２１】
なお、取付基板２、係合部材３、係合解除部材４の材質として、可撓性を有するエンジニアリングプラスチックを用いることによって、弾性片部３３１、可撓片部３４等を撓ませることができて部材同士を係合させることができる。
【００２２】
本発明の取付部材の着脱装置は、取付部材の取付基板が固定される係合部材に係止爪部を設け、この係止爪部を被取付部材の取付穴と係合させることにより、簡単に取付部材を被取付部材に装着することができる。一方、係合部材にスライド自在に装着した係合解除部材を遊技板の前方から後方に向けてピンや棒などを用いて押圧することにより、係合解除部材に設けられた傾斜カム部が係止爪部を縮幅して、遊技板の前方から係合部材と取付穴との係合を解除して、取付部材を着脱装置とともに簡単に取外すことができる。
【００２３】
【発明の効果】
以上に説明したように、本発明の取付部材の着脱装置によれば、取付基板に備えられたランプや装飾品等の取付部材を遊技板等の被取付部材に遊技板の前方から簡単に装着することができるとともに、装飾品やランプ等の取付部材を交換する時にも、いちいち遊技板を開閉することなく取付部材を簡単に交換することができる。また、パチンコ機を解体する時にも取付部材を着脱装置とともに簡単に取外すことができて、従来よりも組み付け、解体作業を簡素化して必要経費を削減することのできる利点がある。
【図面の簡単な説明】
【図１】第１の実施形態である着脱装置の断面図である。
【図２】図１のＡ−Ａ部における断面図である。
【図３】第１の実施形態である着脱装置の斜視図である。
【図４】取付基板を被取付部材に装着した状態を示す断面図である。
【図５】係合解除部材をピンにより前方から押圧を開始した状態を示す断面図である。
【図６】係合解除部材をピンにより前方から完全に押し込んだ状態を示す断面図である。
【図７】取付基板を取外す状態を示す断面図である。
【図８】回転体を第１の実施形態の着脱装置に装着して被取付部材に取付けた状態を示す断面図である。
【図９】図８のＡ−Ａ部断面図である。
【図１０】回転体と発光体を第１の実施形態の着脱装置に装着して被取付部材に取付けた状態を示す断面図である。
【図１１】図１０のＡ−Ａ部断面図である。
【図１２】第２の実施形態である着脱装置を示す図面であって、（ａ）は平面図、（ｂ）はＡ−Ａ部断面図である。
【図１３】図１２のＢ−Ｂ部断面図である。
【図１４】図１２の詳細を説明する図であって、（ａ）はＣ−Ｃ部断面図、（ｂ）はＤ−Ｄ部断面図、（ｃ）は下面側平面図である。
【図１５】回転体を第２の実施形態の着脱装置に装着して被取付部材に取付けた状態を示す断面図である。
【図１６】図１５のＡ−Ａ部断面図である。
【図１７】回転体と発光体を第２の実施形態の着脱装置に装着して被取付部材に取付けた状態を示す断面図である。
【図１８】図１７のＡ−Ａ部断面図である。
【図１９】大型の取付部材を二つの着脱装置により被取付部材に取付けた状態を示す断面図である。
【図２０】係止突起を内向きにして大型の取付部材を被取付部材に取付けた状態を示す断面図である。
【符号の説明】
１  被取付部材
１１  取付穴
１２  位置決め穴
１３  凹部
２  取付基板
２１  取付穴
２２  段差部
２３  凸部
２４  係止片
２５  胴体部
２６  係止片部
２７  挿入穴
２８  凸起部
２９  爪部
３１  基台部
３２  固着部
３３  係止爪部
３３１  弾性片部
３３２  係止突起
３３３  係合解除突起
３３４  支持枝部
３４  可撓片部
３５  係止片部
３５１  係止凸起
３６  凸部
４  係合解除部材
４１  基部
４２  胴部
４３  傾斜カム部
４４  結合凸起部
４５  組付穴
４６  凸起部
４７  平坦面
５  回転体
５１  軸部
６  発光体
７  支持板
８  大型の取付部材
９  カバー
９１  挿入穴
９２  係止穴
Ｐ  ピン、棒
【図１】
0004728470.tif 000002
【図２】
0004728470.tif 000003
【図３】
0004728470.tif 000004
【図４】
0004728470.tif 000005
【図５】
0004728470.tif 000006
【図６】
0004728470.tif 000007
【図７】
0004728470.tif 000008
【図８】
0004728470.tif 000009
【図９】
0004728470.tif 000010
【図１０】
0004728470.tif 000011
【図１１】
0004728470.tif 000012
【図１２】
0004728470.tif 000013
【図１３】
0004728470.tif 000014
【図１４】
0004728470.tif 000015
【図１５】
0004728470.tif 000016
【図１６】
0004728470.tif 000017
【図１７】
0004728470.tif 000018
【図１８】
0004728470.tif 000019
【図１９】
0004728470.tif 000020
【図２０】
0004728470.tif 000021